(57)【特許請求の範囲】
【請求項１】
複数の異なる種類の販売商品を表示する商品表示部と、
健康診断測定用の測定器と、
前記測定器の測定値と前記販売商品の種類との対応関係を記憶する判断情報記憶手段と、
前記測定器による測定値を入力して前記判断情報記憶手段に記憶された対応関係に基づき対応する種類の前記販売商品を表示する推薦商品表示手段と、
前記商品表示部に表示された販売商品の購入決定手段とを有し、
前記測定器は複数の異なる種類の測定器から成り、
前記判断情報記憶手段は前記複数の測定器の各測定値に対して前記販売商品を種類ごとに順位付けして対応関係を記憶する手段から成り、
前記推薦商品表示手段は各測定器による測定値を入力して前記判断情報記憶手段に記憶された対応関係に基づき前記販売商品を順位付けして表示する手段から成ることを、
特徴とする測定器付き自動販売機。
【請求項２】
各測定器による測定値を表示する測定値表示部と、
前記測定値を印字して排出するプリンタとを、
有することを特徴とする請求項１記載の測定器付き自動販売機。
【請求項３】
前記プリンタは前記販売商品に印字するものであることを、
特徴とする請求項２記載の測定器付き自動販売機。
【請求項４】
複数の異なる種類の販売商品を表示する商品表示部と健康診断測定用の測定器とを有する測定器付き自動販売機のプログラムであって、
コンピュータを、
前記測定器の測定値と前記販売商品の種類との対応関係を記憶する判断情報記憶手段、
前記測定器による測定値を入力して前記判断情報記憶手段で記憶された対応関係に基づき対応する種類の前記販売商品を表示する推薦商品表示手段、
前記商品表示部に表示された販売商品の購入決定手段として、
機能させるための測定器付き自動販売機のプログラムであって、
前記測定器は複数の異なる種類の測定器から成り、
前記判断情報記憶手段は前記複数の測定器の各測定値に対して前記販売商品を種類ごとに順位付けして対応関係を記憶する手段から成り、
前記推薦商品表示手段は各測定器による測定値を入力して前記判断情報記憶手段で記憶された対応関係に基づき前記販売商品を順位付けして表示する手段から成ることを、
特徴とする測定器付き自動販売機のプログラム。
【発明の詳細な説明】
【０００１】
【発明の属する技術分野】
本発明は、測定器付き自動販売機およびそのプログラムに関する。
【０００２】
【従来の技術】
従来、人を対象とした測定機能を有する自動販売機として、指紋などの身体的特徴点を読み取って得られたデータに一定の処理を施こし、得られた識別信号を暗証データとしてユーザに知らせておき、ユーザが自動販売機を利用する際にユーザの身体的特徴点を読み取り、その読み取ったデータに同じ処理を施こして得られた識別信号と、ユーザが入力した暗証データとが一致したとき販売を許可するものがある（例えば、特許文献１参照）。
【０００３】
【特許文献１】
特開２００２−２６００７３号公報
【０００４】
【発明が解決しようとする課題】
ところで、健康食品や機能性食品を販売するとき、自分の健康状態に合った商品を選んで購入したいというお客の要望がある。しかしながら、従来の自動販売機では、お客が商品の内容から自分の健康状態に合った商品であるか否かを自分で判断して商品を選択できるだけで、ほかに商品を選択するうえで基準になるものはなかった。例えば、肥満が気になる場合には、砂糖入り飲料ではなく、シュガーレス飲料を自分で選択するだけであった。特許文献１の自動販売機は、ユーザを識別する機能を有しているが、ユーザの健康状態に合った商品を選択するのに助けになるものではなかった。
【０００５】
本発明は、このような従来の課題に着目してなされたもので、健康状態に合った商品を知ることができる測定器付き自動販売機およびそのプログラムを提供することを目的としている。
【０００６】
【課題を解決するための手段】
上記目的を達成するために、本発明に係る測定器付き自動販売機は、複数の異なる種類の販売商品を表示する商品表示部と、健康診断測定用の測定器と、前記測定器の測定値と前記販売商品の種類との対応関係を記憶する判断情報記憶手段と、前記測定器による測定値を入力して前記判断情報記憶手段に記憶された対応関係に基づき対応する種類の前記販売商品を表示する推薦商品表示手段と、前記商品表示部に表示された販売商品の購入決定手段とを、有することを特徴とする。
【０００７】
本発明に係る測定器付き自動販売機のプログラムは、複数の異なる種類の販売商品を表示する商品表示部と健康診断測定用の測定器とを有する測定器付き自動販売機のプログラムであって、コンピュータを、前記測定器の測定値と前記販売商品の種類との対応関係を記憶する判断情報記憶手段、前記測定器による測定値を入力して前記判断情報記憶手段で記憶された対応関係に基づき対応する種類の前記販売商品を表示する推薦商品表示手段、前記商品表示部に表示された販売商品の購入決定手段として、機能させる。
【０００８】
本発明に係る測定器付き自動販売機およびそのプログラムで、販売商品は、アミノ酸入り栄養ドリンク・ビタミン入り栄養ドリンクなどの機能性飲料、ビタミン剤・プロテインなどのサプリメント、コラーゲン入り化粧品・ビタミンＣ入り化粧品などの化粧品、アガリクス・黒酢などの健康食品など、健康状態に合わせて選択可能な複数種類の商品から成ることが好ましい。健康診断測定用の測定器は、例えば、体重計、体脂肪計、肌年齢測定器、血圧計、脈拍計などである。本発明に係る測定器付き自動販売機およびそのプログラムは、測定器による測定値を表示する測定値表示部を有していることが好ましい。また、測定値を印字して排出するプリンタを有していてもよい。プリンタは、販売商品に印字するものであってもよい。
【０００９】
本発明に係る測定器付き自動販売機およびそのプログラムは、健康診断測定用の測定器の測定値と、その測定値の健康状態に合った販売商品の種類との対応関係をあらかじめ記憶しておく。お客は、販売商品を購入するとき、測定器により健康診断測定を行う。本発明に係る測定器付き自動販売機およびそのプログラムは、その測定値から、あらかじめ記憶された対応関係に基づき、そのお客の健康状態に合った販売商品を表示する。これにより、お客は、自分の健康状態に合った販売商品を知って、その販売商品を購入し、健康管理に役立てることができる。例えば、測定器が血圧計の場合、高い血圧値には販売商品のうち高血圧防止用の健康食品を表示し、低い血圧値には販売商品のうち低血圧防止用の健康食品を表示するよう設定することができる。
【００１０】
なお、本発明に係る測定器付き自動販売機およびそのプログラムは、販売商品の表示にかかわらず、他の販売商品を購入可能であることが好ましい。
【００１１】
さらに、本発明に係る測定器付き自動販売機は、前記測定器は複数の異なる種類の測定器から成り、前記判断情報記憶手段は前記複数の測定器の各測定値に対して前記販売商品を種類ごとに順位付けして対応関係を記憶する手段から成り、前記推薦商品表示手段は各測定器による測定値を入力して前記判断情報記憶手段に記憶された対応関係に基づき前記販売商品を順位付けして表示する手段から成っている。
【００１２】
さらに、本発明に係る測定器付き自動販売機のプログラムは、前記測定器は複数の異なる種類の測定器から成り、前記判断情報記憶手段は前記複数の測定器の各測定値に対して前記販売商品を種類ごとに順位付けして対応関係を記憶する手段から成り、前記推薦商品表示手段は各測定器による測定値を入力して前記判断情報記憶手段で記憶された対応関係に基づき前記販売商品を順位付けして表示する手段から成っている。
【００１３】
これらのように、測定器が複数の異なる種類の測定器から成り、また、販売商品を順位付けして表示する場合、複数の測定器の各測定値と、その測定値の健康状態に合った販売商品の種類との対応関係を、販売商品の種類ごとに順位付けしてあらかじめ記憶しておく。その順位は、健康状態に最も合ったものからその度合いに応じて設定しておくことが好ましい。お客は、販売商品を購入するとき、複数の測定器により健康診断測定を行う。これにより、健康状態を複数の指標により詳細に把握することができる。
【００１４】
本発明に係る測定器付き自動販売機およびそのプログラムは、その測定値から、あらかじめ記憶された対応関係に基づき、そのお客の健康状態に合った販売商品を順位付けして表示する。これにより、お客は、自分の健康状態に合った販売商品をその順位とともに知って、その販売商品を購入し、健康管理に役立てることができる。販売商品の順位に基づき、健康状態と自分の嗜好や他の条件とを調整して、販売商品を購入することができる。
【００１５】
【発明の実施の形態】
以下、図面に基づき、本発明の実施の形態について説明する。
図１乃至図２は、本発明の実施の形態の測定器付き自動販売機を示している。図１に示すように、測定器付き自動販売機１０は、制御コンピュータ１１を内蔵し、商品表示部１２と金銭投入口１３と健康診断測定用の測定器１４と推薦商品表示手段１５と購入決定手段１６と釣銭排出口１７と商品排出口１８とを有している。
【００１６】
制御コンピュータ１１は、記憶手段１１ａと処理手段１１ｂと制御手段１１ｃとを有している。記憶手段１１ａは、測定器付き自動販売機１０のプログラムを記憶するＲＯＭと、測定器１４による測定値などを一時的に記憶しておく一時記憶手段と、判断情報記憶手段とを有している。判断情報記憶手段は、測定器１４の各測定値と、その測定値の健康状態に合った販売商品１２ａの種類との対応関係を、販売商品１２ａの種類ごとに順位付けして記憶している。その順位は、健康状態に最も合ったものからその度合いに応じて設定している。
【００１７】
処理手段１１ｂは、測定器１４による測定値と判断情報記憶手段に記憶された対応関係との比較、釣銭の計算などの処理を行う。制御手段１１ｃは、ＣＰＵから構成され、ＲＯＭに記憶されたプログラムの実行、測定器１４の動作、推薦商品表示手段１５の表示、選択された販売商品１２ａの排出などの制御を行う。
【００１８】
商品表示部１２は、測定器付き自動販売機１０の正面上部に設けられ、複数種類（図１では１２種類）の販売商品１２ａを２段に分けて表示している。販売商品１２ａは、アミノ酸入り栄養ドリンク・ビタミン入り栄養ドリンクなどの機能性飲料である。
【００１９】
金銭投入口１３は、測定器付き自動販売機１０の正面に設けられ、硬貨を投入するためのスリット１３ａを有している。測定器付き自動販売機１０は、金銭投入口１３に各販売商品１２ａの価格以上の金銭が投入されると、各測定器１４および購入決定手段１６が作動可能になるよう構成されている。
【００２０】
測定器１４は、複数種類、図１では、体重計１４ａ、体脂肪計１４ｂおよび血圧計１４ｃの３種類から成っている。体重計１４ａは、測定器付き自動販売機１０の正面下部の接地位置から前方に張り出して設けられている。体脂肪計１４ｂは、１対の握りから成り、測定器付き自動販売機１０の正面に設けられている。血圧計１４ｃは、腕を挿入可能に、測定器付き自動販売機１０の正面に設けられている。なお、測定器１４は、他にも、肌年齢測定器、脈拍計などから成っていてもよい。
【００２１】
推薦商品表示手段１５は、液晶ディスプレイから成り、測定器付き自動販売機１０の正面に設けられている。推薦商品表示手段１５は、各測定器１４による測定値を入力して、判断情報記憶手段に記憶された対応関係に基づき、販売商品１２ａを順位付けして表示するよう構成されている。また、販売商品１２ａの表示とともに、各測定器１４の測定値も表示するようになっている。
【００２２】
購入決定手段１６は、販売商品１２ａの種類に合わせた数（図１では１２個）の押しボタンから成る。購入決定手段１６は、商品表示部１２に表示された各販売商品１２ａに対応するよう、各販売商品１２ａの下方にそれぞれ設けられている。購入決定手段１６は、金銭投入口１３に金銭が投入された後、いずれか一つが押されることにより、対応する販売商品１２ａを選択することができるよう構成されている。なお、購入決定手段１６は、推薦商品表示手段１５による販売商品の表示にかかわらず、他の販売商品１２ａを選択することができるようになっている。
【００２３】
釣銭排出口１７は、測定器付き自動販売機１０の正面下部に設けられ、釣銭の硬貨を排出するようになっている。商品排出口１８は、購入決定手段１６により選択された販売商品１２ａを排出するよう、測定器付き自動販売機１０の正面下部に設けられている。
【００２４】
次に、図２を参照して測定器付き自動販売機１０の処理手順および作用について説明する。
測定器付き自動販売機１０は、３種類の測定器１４の各測定値と、その測定値の健康状態に合った販売商品１２ａの種類との対応関係を、販売商品１２ａの種類ごとに順位付けしてあらかじめ判断情報記憶手段に記憶しておく。その順位は、健康状態に最も合ったものからその度合いに応じて設定しておく。例えば、血圧計１４ｃの高い血圧値の場合、高血圧防止用の機能性飲料から順に低血圧防止用の機能性飲料まで順位を設定して判断情報記憶手段に記憶しておく。
【００２５】
お客１は、販売商品１２ａを購入するとき、金銭投入口１３に各販売商品１２ａの価格以上の金銭を投入する（ステップ２１）。これにより、各測定器１４および購入決定手段１６が作動可能になる。お客１は、各測定器１４により健康診断測定を行う（ステップ２２）。お客１は、体重計１４ａ、体脂肪計１４ｂおよび血圧計１４ｃの３種類の測定器１４で測定を行うことができる。
【００２６】
測定器付き自動販売機１０は、その測定値から、あらかじめ判断情報記憶手段に記憶された対応関係に基づき、そのお客１の健康状態に合った販売商品１２ａを順位付けして推薦商品表示手段１５に表示する（ステップ２３）。例えば、血圧値が高かった場合、判断情報記憶手段に記憶された順位に従って、高血圧防止用の機能性飲料から順に推薦商品表示手段１５に表示する。また、その販売商品１２ａの表示とともに、各測定器１４の測定値も表示する。これにより、お客１は、自分の健康状態を複数の指標により詳細に把握することができる。
【００２７】
お客１は、推薦商品表示手段１５の表示を参考にして、購入する販売商品１２ａを選択し、その販売商品１２ａに対応する購入決定手段１６を押す（ステップ２４）。測定器付き自動販売機１０は、購入決定手段１６が押されると、選択された販売商品１２ａを商品排出口１８から排出する（ステップ２５）。また、お釣りがある場合には、釣銭を計算して釣銭排出口１７から排出する（ステップ２６）。
【００２８】
こうして、お客１は、自分の健康状態に合った販売商品１２ａをその順位とともに知って、その販売商品１２ａを購入し、健康管理に役立てることができる。また、販売商品１２ａの順位に基づき、健康状態と自分の嗜好や他の条件とを調整して、販売商品１２ａを購入することができる。例えば、順位が１番の機能性飲料が自分の嗜好に合わないとき、順位が２番や３番の自分の嗜好に合った機能性飲料を購入することができる。
【００２９】
【発明の効果】
本発明によれば、健康状態に合った商品を知ることができる測定器付き自動販売機およびそのプログラムを提供することができる。
【図面の簡単な説明】
【図１】本発明の実施の形態の測定器付き自動販売機を示す斜視図である。
【図２】図１に示す測定器付き自動販売機の処理手順を示すフローチャートである。
【符号の説明】
１    お客
１０  測定器付き自動販売機
１１  制御コンピュータ
１１ａ  記憶手段
１１ｂ  処理手段
１１ｃ  制御手段
１２  商品表示部
１２ａ  販売商品
１３  金銭投入口
１４  測定器
１４ａ  体重計
１４ｂ  体脂肪計
１４ｃ  血圧計
１５  推薦商品表示手段
１６  購入決定手段
１７  釣銭排出口
１８  商品排出口
【図１】
0003640312.tif 000002
【図２】
0003640312.tif 000003